(57)【要約】      （修正有）【課題】コバエ誘引剤の効果を長時間持続させることができる、コバエ誘引剤用容器を提供する。【解決手段】蓋部材１と、開口部を有する筒状の本体２とを備える、コバエ誘引剤を外部に揮散させるためのコバエ誘引剤用容器であって、蓋部材１は、コバエ誘引剤を外部に放出する揮散孔３を有し、かつ開口部をねじ機構によって開閉可能であり、蓋部材１を開放した際にコバエ誘引剤を継ぎ足しできる。【選択図】図１
0003216236.tif 000002
【実用新案登録請求の範囲】
【請求項１】
蓋部材と、開口部を有する筒状の本体とを備える、コバエ誘引剤を外部に揮散させるためのコバエ誘引剤用容器であって、
前記蓋部材は、前記コバエ誘引剤を外部に放出する揮散孔を有し、かつ前記開口部をねじ機構によって開閉可能であり、
前記蓋部材を開放した際に前記コバエ誘引剤を継ぎ足しできることを特徴とする、コバエ誘引剤用容器。
【考案の詳細な説明】
【技術分野】
【０００１】  本考案は、コバエ誘引剤用容器に関するものである。
【背景技術】
【０００２】  従来、常温揮散性のコバエ誘引剤を空気中に揮散させることによって、コバエの駆除等が行われている。その際、コバエ誘引剤は何らかの容器に入れられて揮散させることが多い。【０００３】  例えば、特許文献１では、バラ科サンザシ属の果実を熟成した果実由来の香り成分を含む酢と、醸造酒に花を漬け込んで得られた花由来の香り成分を含む酒とが混合されたハエ用誘引剤を揮発可能に収容する容器が開示されている。
【先行技術文献】
【特許文献】
【０００４】
【特許文献１】特開２０１２−１６２５２１号公報
【考案の概要】
【考案が解決しようとする課題】
【０００５】  しかしながら、特許文献１に記載の容器等の従来品では、コバエ誘引剤が揮散するにつれてその効果が減弱し、効果減弱後は新たな商品を購入しなければならずコストや手間の面で問題があった。【０００６】  本考案は、上記従来の実情に鑑みてなされたものであって、コバエ誘引剤の効果を長時間持続させることができる、コバエ誘引剤用容器を提供することを解決すべき課題としている。
【課題を解決するための手段】
【０００７】  本考案者は、前記課題を解決するために鋭意検討を重ねた結果、特定の構造を備えることによって、コバエ誘引剤を継ぎ足しできるようにすることで、上記課題を解決できることを見出し、本考案を完成するに至った。【０００８】  すなわち、本考案は下記＜１＞に関するものである。
＜１＞蓋部材と、開口部を有する筒状の本体とを備える、コバエ誘引剤を外部に揮散させるためのコバエ誘引剤用容器であって、前記蓋部材は、前記コバエ誘引剤を外部に放出する揮散孔を有し、かつ前記開口部をねじ機構によって開閉可能であり、前記蓋部材を開放した際に前記コバエ誘引剤を継ぎ足しできることを特徴とする、コバエ誘引剤用容器。
【考案の効果】
【０００９】  本考案によれば、コバエ誘引剤の効果を長時間持続させることができる、コバエ誘引剤用容器を提供することができる。
【図面の簡単な説明】
【００１０】
【図１】本考案のコバエ誘引剤用容器を、斜め上方から視た外観斜視図である
【図２】本体から蓋部材を取り外した際の、本考案のコバエ誘引剤用容器の側面図である。
【図３】本体から蓋部材を取り外し、コバエ誘引剤を継ぎ足している際の、本考案のコバエ誘引剤用容器の側面図である。
【考案を実施するための形態】
【００１１】  以下、本考案について詳述するが、これらは望ましい実施態様の一例を示すものであり、本考案はこれらの内容に特定されるものではない。
【００１２】  本考案のコバエ誘引剤用容器（以下、単に「本考案の容器」と称することがある。）は、蓋部材と、開口部を有する筒状の本体とを備える。
【００１３】  本考案で用いる蓋部材及び本体の材質としては、特に限定はされず、ガラス製、プラスチック製等種々のものが使用できる。また、蓋部材及び本体は、透明でもよいし、着色されていてもよい。
【００１４】  本考案で用いる蓋部材としては、本体の開口部をねじ機構によって開閉可能なものであれば特に制限はされないが、コバエ誘引剤を揮散によって外部に放出する揮散孔を有しているものである必要がある。なお、揮散孔は単数でも複数でもよい。
【００１５】  揮散孔から容器内に進入してきたコバエは、コバエ誘引剤へと誘引されていき、この誘引剤に接触することで、例えば、誘引剤に含まれる殺虫剤の作用によって、若しくはこの誘引剤が液状、湿潤状（ゼリー、ゲル等）であるときには羽等が濡れることによって、行動できなくなったりして死に至る。
【００１６】  本考案で用いるコバエ誘引剤は、コバエ誘引成分として、例えば、紹興酒、ビール、ワイン、アセトイン、黒酢、赤酢、食酢、各種果実エキス、野菜や果実の発酵物、味噌、酵母、蜂蜜、液糖、黒糖、砂糖、各種の植物性又は動物性の食餌等を含有することができる。
【００１７】  また、本考案で用いるコバエ誘引剤は、誘引性に影響を及ぼさない範囲で、各種殺虫剤を含有させて殺虫効果を付与することも可能である。コバエ誘引剤が更に殺虫剤を含有することにより、コバエの殺虫効果を、良好な持続性でもって維持することが可能となる。
【００１８】  殺虫剤としては、例えば、除虫菊エキス、天然ピレトリン、プラレトリン、イミプロトリン、フタルスリン、アレスリン、トランスフルトリン、レスメトリン、フェノトリン、シフェノトリン、ペルメトリン、サイパーメスリン、エトフェンプロックス、シフルスリン、デルタメスリン、ビフェントリン、フェンバレレート、フェンプロパトリン、エムペンスリン、シラフルオフェン、メトフルトリン、プロフルトリン等のピレスロイド系化合物；フェニトロチオン、ダイアジノン、マラソン、ピリダフェンチオン、プロチオホス、ホキシム、クロルピリホス、ジクロルボス等の有機リン系化合物；カルバリル、プロポクスル、メソミル、チオジカルブ等のカーバメート系化合物；メトキサジアゾン等のオキサジアゾール系化合物；フィプロニル等のフェニルピラゾール系化合物；アミドフルメト等のスルホンアミド系化合物；ジノテフラン、イミダクロプリド、チアメトキサム、クロチアニジン、アセタミプリド、ニテンピラム等のネオニコチノイド系化合物；メトプレン、ハイドロプレン、ピリプロキシフェン等の昆虫成長制御化合物；オレンジ油、ハッカ油、ベンジルアルコール等の殺虫性精油等を挙げることができる。
【００１９】  また、本考案の容器は、上記蓋部材を本体から取り外すことが可能であり、その際にコバエ誘引剤を継ぎ足すことが可能である。
【００２０】  コバエ誘引剤を継ぎ足すことにより、従来品と比較すると、コバエ誘引剤の効果の持続期間を顕著に延ばすことが可能となる。
【実施例】
【００２１】  以下、添付図面に従って、一実施例を説明する。
図１に示すように、本考案の容器は、蓋部材１と、本体２から構成される。蓋部材１は、揮散孔３を有している。【００２２】  図１及び図２に示すように、蓋部材１は、開口部４をねじ機構によって開閉可能である。【００２３】  図３に示すように、本体２から、蓋部材１を取り外すと、開口部４からコバエ誘引剤５を継ぎ足すことができる。よって、当初から本考案の容器内にあったコバエ誘引剤５が揮散してなくなったとしても、コバエ誘引剤５を適宜継ぎ足すことによって継続的に使用することができ、本考案の容器によってコバエ誘引剤の効果を長時間持続（例えば、従来品の２倍〜１０倍程度長く持続）させることができる。
【符号の説明】
【００２４】１  蓋部材
２  本体
３  揮散孔
４  開口部
５  コバエ誘引剤
【図１】
0003216236.tif 000003
【図２】
0003216236.tif 000004
【図３】
0003216236.tif 000005